(57)【要約】【課題】暗証符号入力に伴う暗証符号の漏洩を確実に防止可能な電気錠制御装置の提供を目的とする。【解決手段】異なった暗証用符号１を予め定められた配列により配置した暗証符号入力部２と、  暗証符号入力部２から入力された入力符号列の予め登録された認証用暗証符号列との一致を認証成立条件とする暗証符号認証部３と、  暗証符号認証部３での本認証操作後における暗証符号入力部２への任意の暗証用符号１の入力を検出するダミー入力検出部４と、  本認証動作時の認証成立に加え、ダミー入力検出部４における暗証用符号１入力の検出を条件に電気錠５を解錠駆動する制御部６とを備える。【選択図】  図２
2015151833.tif 000002
【特許請求の範囲】
【請求項１】
異なった暗証用符号を予め定められた配列により配置した暗証符号入力部と、
暗証符号入力部から入力された入力符号列の予め登録された認証用暗証符号列との一致を認証成立条件とする暗証符号認証部と、
暗証符号認証部での本認証操作後における暗証符号入力部への任意の暗証用符号の入力を検出するダミー入力検出部と、
本認証動作時の認証成立に加え、ダミー入力検出部における暗証用符号入力の検出を条件に電気錠を解錠駆動する制御部とを備える電気錠制御装置。
【請求項２】
前記暗証符号入力部にはエンターキーが配置され、
エンターキーが入力される前の適数が本認証操作における認証用暗証符号列として採用される請求項１記載の電気錠制御装置。
【請求項３】
前記暗証符号入力部は暗証用符号を非表示状態への遷移可能に表示するとともに、
前記ダミー入力操作時に暗証用符号の適数をダミー入力用符号として表示し、
表示されたダミー入力用符号の全ての選択によりダミー入力操作が完了する請求項１または２記載の電気錠制御装置。
【請求項４】
前記暗証符号入力部は静電容量式タッチセンサにより形成されるとともに、
前記暗証符号入力部へのダミー入力がスワイプ操作により実行可能な請求項１、２または３記載の電気錠制御装置。
【請求項５】
利用者の選択により、前記暗証符号認証部に代えて認証媒体に保持された電子的な認証コードに対して認証する媒体認証部を有するとともに、
前記暗証符号入力部の一部には、前記認証媒体の認証コード読み取り可能領域が設定され、
かつ、前記制御部は、前記媒体認証部による認証方式が選択された際には、暗証用符号に代えて認証コード読み取り可能領域を暗証符号入力部に表示する請求項１から４のいずれかに記載の電気錠制御装置。
【請求項６】
前記暗証符号認証部による認証方式と、媒体認証部における認証方式のいずれかを優先認証方式として登録可能であり、
前記制御部は、起動時に優先利用認証方式を最先に実行する請求項５記載の電気錠制御装置。
【発明の詳細な説明】
【技術分野】
【０００１】
本発明は電気錠制御装置に関するものである。
【背景技術】
【０００２】
電気錠の施解錠を制御する電気錠制御装置としては特許文献１に記載のものが知られている。
【０００３】
この従来例における電気錠制御装置は、表示区画毎に設定された番号を選択的に表示可能な番号表示部と、暗証符号の入力前に任意の番号を表示し、該番号へのスイッチング動作が終了したときに表示区画の全ての番号を表示して暗証符号の入力を可能にする制御部とを備えた暗証符号入力盤を有して構成される。
【０００４】
しかし、この従来例は、暗証符号の入力前にダミー入力を促すために、入力中の暗証符号を他人に知られにくいという利点を有するものの、暗証符号入力盤には最終操作された番号、すなわち、暗証符号が割り当てられた表示区画に指紋等が付着するために、操作後の他人による表示区画の観察により暗証符号が知られる虞がある。
【０００５】
また、ダミー入力時には、操作すべき番号のみが表示されるのに対し、暗証符号入力時には盤上の全体が表示されるために、暗証符号の入力タイミングは盤面の明るさから判別できるために、ダミー入力による暗証符号の保護も多くは望めないという問題がある。
【先行技術文献】
【特許文献】
【０００６】
【特許文献１】特許第４８８４８７９号公報
【発明の概要】
【発明が解決しようとする課題】
【０００７】
本発明は、以上の欠点を解消すべくなされたものであって、暗証符号入力に伴う暗証符号の漏洩を確実に防止可能な電気錠制御装置の提供を目的とする。
【課題を解決するための手段】
【０００８】
本発明によれば上記目的は、
異なった暗証用符号１を予め定められた配列により配置した暗証符号入力部２と、
暗証符号入力部２から入力された入力符号列の予め登録された認証用暗証符号列との一致を認証成立条件とする暗証符号認証部３と、
暗証符号認証部３での本認証操作後における暗証符号入力部２への任意の暗証用符号１の入力を検出するダミー入力検出部４と、
本認証動作時の認証成立に加え、ダミー入力検出部４における暗証用符号１入力の検出を条件に電気錠５を解錠駆動する制御部６とを備える電気錠制御装置を提供することにより達成される。
【０００９】
電気錠制御装置は、暗証符号入力部２に認証用暗証符号列を入力する本認証動作に続いて、該暗証符号入力部２に認証に使用しないダミー符号が入力されることを電気錠５の駆動条件とすることにより、認証操作を行った後では、暗証符号入力部２に認証用暗証符号列を示す指紋のみが残留することがない。
【００１０】
この結果、電気錠制御装置を使用した後の暗証符号入力部２を観察することによっては認証用暗証符号列を推測することが不可能となり、かつ、暗証符号入力部２には、常に同じ配列により暗証用符号１が配置されるために、認証動作のたびに異なった位置に表示される場合に発生する暗証用符号位置の探索操作が不要となるために、使い勝手が向上する。
【００１１】
また、電気錠制御装置は、請求項２に記載のように、
前記暗証符号入力部２にはエンターキー７が配置され、
エンターキー７が入力される前の適数が本認証操作における認証用暗証符号列として採用されるように構成することができる。
【００１２】
本認証操作の終了は、制御部６が本認証操作入力モードにおける入力数が所定数に達するまで入力符号を蓄積して認証用暗証符号列として暗証符号認証部３に通知すれば足りるために、特別なエンターキー７を設定する必要はないが、エンターキー７を設定すると、利用者にダミー入力操作への遷移を知らせることができるために、勘違い等による誤入力を防ぐことができる。
【００１３】
また、エンターキー７を設定すると、最初の適数に認証に使用しないダミー符号を入力することも可能になり、入力時の盗み見による認証用暗証符号列の漏洩を防止することができる。この場合、制御部６は、エンターキー７に先行する所定個数の入力符号のみを抽出して暗証符号認証部３に通知すればよい。
【００１４】
さらに、電気錠制御装置は、請求項３記載のように、
前記暗証符号入力部２は暗証用符号１を非表示状態への遷移可能に表示するとともに、
前記ダミー入力操作時に暗証用符号１の適数をダミー入力用符号として表示し、
表示されたダミー入力用符号の全ての選択によりダミー入力操作が完了するように構成することができる。
【００１５】
ダミー用入力符号は、利用者がそのたびに自由に設定して選択すれば足りるが、ダミー入力時に適宜の暗証用符号１を表示するように構成すると、利用者に迷いがなく、かつ、暗証用符号１の配置を好適に設定すると、暗証符号入力部２の広範囲にわたって利用者に入力指示を行うことができるために、指紋等が付着した符号が多くなり、より認証用暗証符号の推定が困難になる。
【００１６】
また、電気錠制御装置は、請求項４に記載されるように、
前記暗証符号入力部２は静電容量式タッチセンサにより形成されるとともに、
前記暗証符号入力部２へのダミー入力がスワイプ操作により実行可能に構成することができる。
【００１７】
ダミー入力は、所定の位置を指示するだけで足りるが、暗証符号入力部２を静電容量式タッチセンサにより形成することにより暗証符号入力部２表面を指でなぞる、いわゆるスワイプ操作が可能になり、暗証符号入力部２上の指示痕跡を積極的に消去することができる。
【００１８】
さらに、電気錠制御装置は、請求項５に記載されるように、
利用者の選択により、前記暗証符号認証部３に代えて認証媒体８に保持された電子的な認証コードに対して認証する媒体認証部９を有するとともに、
前記暗証符号入力部２の一部には、前記認証媒体８の認証コード読み取り可能領域が設定され、
かつ、前記制御部６は、前記媒体認証部９による認証方式が選択された際には、暗証用符号１に代えて認証コード読み取り可能領域を暗証符号入力部２に表示するように構成することができる。
【００１９】
この場合、電気錠制御装置は、
前記暗証符号認証部３による認証方式と、媒体認証部９における認証方式のいずれかを優先認証方式として登録可能であり、
前記制御部６は、起動時に優先利用認証方式を最先に実行するように構成することができる。
【発明の効果】
【００２０】
本発明によれば、暗証符号入力に伴う暗証符号の漏洩を確実に防止することができる。
【図面の簡単な説明】
【００２１】
【図１】本発明による電気錠制御装置を示す図で、（ａ）は正面図、（ｂ）は側面図、（ｃ）は扉に固定した状態を示す斜視図である。
【図２】暗証符号入力部を示す図で、（ａ）は全符号、マークを表示した状態を示す図、（ｂ）は本認証動作における状態を示す図、（ｃ）はダミー入力時を示す図、（ｄ）は解錠完了状態を示す図、（ｅ）は認証媒体による認証モードを示す図である。
【図３】本発明を示す機能ブロック図である。
【図４】電気錠制御装置の動作を示すフローチャートである。
【図５】暗証番号認証ステップのフローチャートである。
【図６】暗証番号認証ステップのフローチャートである。
【図７】カード認証ステップのフローチャートである。
【図８】管理ステップのフローチャートである。
【図９】ＩＤ削除後処理ステップのフローチャートである。
【図１０】ユーザーカード削除後処理ステップのフローチャートである。
【図１１】暗証番号削除後処理ステップのフローチャートである。
【図１２】ユーザーカード登録後処理ステップのフローチャートである。
【図１３】暗証番号登録後処理ステップのフローチャートである。
【図１４】解錠後処理ステップのフローチャートである。
【発明を実施するための形態】
【００２２】
図１以下に本発明が適用された玄関ドア用の錠装置を示す。本例の錠装置は、ケース１０内に、ドア１１内に組み込まれた箱錠５ａを作動させるためのモーター等のアクチュエータ５ｂ、およびアクチュエータ５ｂの動作を制御するための本発明の電気錠制御装置を組み込んで形成され、玄関ドアの屋外側壁面に固定されて使用される。
【００２３】
また、ケース１０に開設される貫通孔１０ａにはハンドル１２の操作軸１２ａが挿通し、箱錠５ａに設けられたラッチ（図示せず）を操作する。
【００２４】
ケース１０上部には暗証符号入力部２が配置され、この暗証符号入力部２を使用した認証動作に対する認証が成立すると、アクチュエータ５ｂによりドライブ軸１３が回転駆動され、箱状５ａが施解錠操作される。
【００２５】
なお、図１において電気錠５は、ケース１０内のアクチュエータ５ｂと、ドア１１内の箱錠５ａとにより構成されている場合が示されているが、錠杆とアクチュエータ５ｂとを同一ケースに収納した電気錠５を制御するように必要部分のみをケース１０に収納したり、あるいは後述する認証部１４をケース１０外に配置するものであってもよい。
【００２６】
電気錠制御装置は、図３に示すように、制御部６と、制御部６により制御されて作動する暗証符号入力部２、暗証符号認証部３、上記暗証符号認証部３とともに認証部１４を構成する媒体認証部９、ダミー入力検出部４、モード管理部１５、モード設定部１６、および電気錠駆動部１７とを有し、電気錠駆動部１７から出力される施解錠駆動信号により電気錠５内のアクチュエータ５ｂを駆動し、施解錠状態間を遷移させる。また、装置の適宜箇所には、利用者による利用開始を装置に知らせるための操作開始ボタン１８が配置される。
【００２７】
図２に示すように、暗証符号入力部２は、ディスプレイが組み込まれた静電容量タッチセンサにより形成され、制御部６からの制御により、施解錠状態表示マーク２ａ、２ｂ、暗証用符号キー（テンキー１）、エンターキー７、モード管理キー２ｃ、カードマーク２ｄ、および警告マーク２ｅ、２ｆを所定位置に表示、あるいは非表示状態にすることができる。
【００２８】
施解錠状態表示マーク２ａ、２ｂは、電気錠５が施錠状態であるときに表示される施錠状態表示マーク２ａと、解錠状態であるときに表示される解錠状態表示マーク２ｂとからなる。テンキー１は、認証用符号列の構成要素である１から０までの算用数字から構成され、表示されている数字の上を触れることによって入力することができる。
【００２９】
暗証符号による認証方式が選択されているとき、制御部６は、まず、図２（ｂ）に示すように、テンキー１の全部を表示することにより本認証動作に移行し、後述する暗証符号認証部３での認証が成立すると、一旦全てのテンキー１を非表示状態にした後、図２（ｃ）に示すように、適数個を再び表示し、ダミー入力の待ち受け画面に遷移させる。
【００３０】
エンターキー７は、利用者による認証用暗証符号列の入力終了を知らせるために入力され、制御部６がエンターキー７の入力を検出すると、入力された符号列を後述する暗証符号認証部３に出力する。本例において認証用暗証符号列は、入力開始から所定桁数（４桁）を入力した後エンターキー７を入力する仕様になっているが、エンターキー７から遡って４桁を認証用暗証符号列として採用する仕様とすることも可能である。
【００３１】
モード管理キー２ｃは、認証用暗証符号列の新規登録等、管理ステップへの遷移に使用され、警告マーク２ｅ、２ｆは、操作音がミュート状態に設定されている際にミュート通知マーク２ｅが、電池残量が少なくなった場合には、バッテリ消耗マーク２ｆが表示される。
【００３２】
また、ケース１０には暗証符号入力部２表面に翳された認証媒体８（認証カード）を読み取る読み取り装置が組み込まれており、認証カード８による認証方式が選択されているとき、暗証符号入力部２には、カードの読み取り可能領域を知らせるためのカードマーク２ｄが表示される。
【００３３】
暗証符号認証部３は、暗証符号入力部２から入力された符号列が予め登録された認証用暗証符号列と一致するか否かを判定し、一致する場合には制御部６に認証成立信号を出力する。
【００３４】
ダミー入力検出部４は、本認証動作に続くダミー入力画面において表示されているテンキー１が入力されたか否かを判定し、表示された全ての暗証用符号１が入力されるとダミー入力終了信号を制御部６に出力し、ダミー入力終了信号を受信した制御部６は電気錠駆動部１７にアクチュエータドライブ信号をセットしてアクチュエータを駆動し、電気錠５を作動させる。
【００３５】
本認証動作におけるテンキー１の入力、すなわち、暗証符号認証部３での認証動作は、入力符号種、および入力順の双方において認証用暗証符号列と一致し、異なった暗証用符号１が含まれていると認証は成立しないのに対し、ダミー入力検出部４における判定は、入力順、あるいは非表示暗証用符号１の混入は判定結果に影響を与えず、表示された暗証用符号１の全てが入力されたか否かのみが判定基準とされる。この結果、図２（ｃ）において鎖線で示すように、表示された暗唱用符号１をなぞるようにしてスワイプ操作することによりダミー入力操作を行うことが可能であり、この場合、スワイプする順序も経路も問われない。
【００３６】
媒体認証部９は、利用者が所持する認証カード８に保持される認証コードを上記読み取り部によって読み取り、図外のコード格納部内に登録された基準コードとの一致により認証判定を行い、認証が成立すると、制御部６に認証成立信号を出力し、該認証成立信号を受領した制御部６は、暗証符号認証方式の場合とは異なり、直ちに電気錠駆動部１７にアクチュエータドライブ信号をセットしてアクチュエータを駆動し、電気錠５を作動させる。
【００３７】
電気錠制御装置の運用に際して、媒体認証部９での認証を行うために、通常の運用時にユーザーが使用するユーザーカード８Ａ、ユーザーカード８Ａの登録、暗証コードの削除、変更を行うための管理カード８Ｂ、および後述する”ブランクモード”で使用し、媒体認証部９で認証可能なブランクモードカード８Ｃが用意される。
【００３８】
電気錠制御装置には認証カード８を使用して認証を行う媒体認証方式（カード認証方式）のみを利用可能認証方式として使用する「媒体単独モード（カード単独モード）」、暗証番号認証方式のみを使用する「暗証番号単独モード」、カード認証方式と暗証番号認証方式の双方が利用可能認証方式として利用可能で、カード認証方式を優先使用する「カード優先モード」、およびカード認証方式と暗証番号認証方式の双方が利用可能で、暗証番号認証方式を優先使用する「暗証番号優先モード」、さらに上述したブランクモードが設定されており、現在の運用モードは上記モード管理部１５に記憶される。
【００３９】
単独モードと優先モードを設けることにより、使用環境に応じて双方を好みにより選択することが可能になるために、使い勝手が向上し、認証方式の指定操作によりモード変換が行われることから、利用者は、内部のモード等を意識することなく合理的な運用を行うことができるために、使い勝手が向上する。
【００４０】
このモード管理部１５は、記憶された運用モード情報に基づいて実行手順を管理し、使用可能認証方式として単一の認証方式が選択されている場合、本例においては、「カード単独モード」、あるいは「暗証番号単独モード」が登録されている場合には、指定されたモード以外の使用は禁止される。
【００４１】
これに対し、優先モード、本例では「カード優先モード」、あるいは「暗証番号優先モード」が指定されている場合には、利用者の利用要求の受領により、まず、優先される認証方式が実行される。この状態で利用者による当該認証方式による認証動作が行われた場合には、認証動作を完了して初期状態に移行するが、優先された認証方式による認証操作が行われなかった場合には、他の認証方式による認証装置が起動され、当該認証方式による認証操作を促す。
【００４２】
利用者による優先認証方式の登録が可能で、利用時に登録済み優先認証方式が最先に実行されるようにすることにより、例えば、カードによる認証をしようとする場合、初期設定によって暗証番号入力画面が表示され、これをスキップしてカードによる認証画面に遷移する等の、不要なスキップ操作が不要となるために、使い勝手が良好な上に、不要な認証手段に対する給電が不要となるために、電源の効率的な使用も可能になる。
【００４３】
モード設定部１６は、暗証符号認証部３、あるいは媒体認証部９による認証成立を条件に起動され、利用者による利用可能認証方式の追加、削除動作に基づいてモードを自動変更する。
【００４４】
本例において、暗証番号単独モード下で利用者がカード認証方式を登録すると、モード管理部１５における登録モードを暗証番号優先モードに変更し、カード単独モード下での暗証番号認証方式の登録によりカード優先モードに変更する。また、暗証番号方式とカード方式の双方を利用可能認証方式から除外した場合には、ブランクモードに移行し、以後、ブランクモードカード８Ｃによる認証のみが可能になる。
【００４５】
電気錠駆動部１７は、電気錠５、あるいはドア１１から出力される施解錠状態信号を監視しており、施錠状態信号を受信している場合、制御部６が電気錠５への駆動信号の出力条件を充足していることを条件に解錠用ドライブ信号を生成して電気錠５に出力し、該電気錠５を解錠駆動する。また、電気錠駆動部１７は、解錠状態信号を受信している状態では、モード管理部１５における現在の運用モードを確認し、カード単独モード以外の場合には、操作開始ボタン１８の押下信号の受信により施錠用ドライブ信号を生成して電気錠５を施錠駆動する。
【００４６】
これに対し、現在の運用モードがカード単独モードである場合、施錠に際して認証カード８の認証が条件とされ、室内に認証カード８を置き忘れて施錠してしまう締め出し状態の発生が防止される。
【００４７】
なお、本例では、操作開始ボタン１８の押下操作を施錠要求とする場合を示したが、操作開始ボタン１８の押下を要することなく、所定時間経過後自動的に施錠されるように形成することも可能であり、この場合も、カード単独モード下では、自動施錠に際して認証カード８の認証を要求するように形成される。
【００４８】
図４以下に本実施の形態を動作フローを示す。図４に示すように、運用が開始されると、種々の初期設定が読み込まれ、カードマーク、およびテンキー１を消灯状態にして利用者の操作を待つ（ステップＳ１-１）。
【００４９】
この状態で操作開始ボタン１８が利用者により押下されると（ステップＳ１-２）、モード管理部１５内の現在の運用モード情報に基づいて処理を分岐させ（ステップＳ１-３）、現在の運用モードがカード単独モード、あるいはブランクモードである場合には、図７に示すカード認証ステップが実行される。
【００５０】
これに対し、ステップＳ１-３でカード優先モードが検出された場合には、まず、施解錠信号が確認され（ステップＳ１-５）、当該ステップＳ１-５で解錠状態信号が検出されると施錠処理を実行して待ち状態に復帰し（ステップＳ１-５１）、施錠状態が検出されると、認証カード８を認証するためにカード認証ステップが実行される。
【００５１】
また、ステップＳ１-３で暗証番号優先モード、または暗証番号単独モードが検出されると、施解錠信号が確認され（ステップＳ１-４）、当該ステップＳ１-４で解錠状態信号が検出されると施錠処理を実行して待ち状態に復帰し（ステップＳ１-４１）、施錠状態が検出されると、暗証番号を認証するために、図５、６に示す暗証番号認証ステップが実行される。
【００５２】
暗証番号認証ステップにおいては、まず、テンキー１を点灯させて暗証番号の入力を促すことにより本認証動作が開始され（ステップＳ２-１）、次いで、暗証番号入力の時間計測のため、動作タイマーをスタートさせる（ステップＳ２-２）。動作タイマーによる計時時間中、操作開始ボタン１８の押下（ステップＳ２-３）、または暗証番号の入力（ステップＳ２-４）が監視され、タイマー設定時間内に双方の操作が行われなかった場合には（ステップＳ２-５）、待ち状態に復帰する。
【００５３】
これに対し、ステップＳ２-４で暗証番号が入力され、エンターキー７が入力されると、図６に示すように、暗証符号認証部３での認証動作が開始され（ステップＳ２-４１）、認証が成立したなかった場合にはエラー通知をした後（ステップＳ２-４１１）、待ち状態に復帰する。ステップＳ２-４１で認証が成立すると、一旦暗証符号入力部２の全符号、マークを非表示状態とした後（ステップＳ２-４２）、動作タイマーをスタートさせ（ステップＳ２-４３）、さらに、複数のテンキー１の適数（本例においては４個）をランダムに表示させてダミー入力段階を開始する（ステップＳ２-４４）。
【００５４】
ダミー入力段階で操作開始ボタン１８が押し下げられ（ステップＳ２-４５）、あるいは所定時間内にダミー入力が開始されなかった場合は（ステップＳ２-４６）、キャンセル操作として待ち状態に復帰する。
【００５５】
これに対してダミー入力段階で表示キーがタッチされた場合には（ステップＳ２-４７）、タッチされたキーを非表示とし（ステップＳ２-４８）、表示キーの全てがタッチされると（ステップＳ２-４９）、施錠状態か否かを検出し（ステップＳ２-５０）、解錠状態のときには施錠処理を行った後（ステップＳ２-５０１）、待ち状態に復帰する。
【００５６】
また、ステップＳ２-５０において施錠状態のときには解錠処理を行った後（ステップＳ２-５１「）、  ”暗証番号”フラグをセットし（ステップＳ２-５２）、図１４に示す解錠処理後ステップが実行される。
【００５７】
さらに、ステップＳ２-３で操作開始ボタン１８の押下が検出されると、現在の運用モードが確認される（ステップＳ２-３１）。このステップＳ２-３１でカード優先モード、カード単独モード、またはブランクモードが検出されると、これらが暗証番号モードの次の選択肢とはなり得ないために、操作開始ボタン１８の押下操作は初期状態への復帰操作と解し、待ち状態に復帰する。
【００５８】
また、ステップＳ２-３１で暗証番号優先モードが検出された場合には、ステップＳ２-３における操作開始ボタン１８の押下操作は、暗証番号認証ステップのスキップ操作と考えられるために、図７に示すカード認証ステップが実行される。
【００５９】
さらに、ステップＳ２-３１で暗証番号単独モードが検出された場合、暗証番号単独モードにおける管理カード８Ｂによる認証を可能にするために、ステップＳ２-３１１で操作開始ボタン１８の押下時間が所定時間（本例においては２秒）を超えたか否かを判定し、超えなかった場合には、操作開始ボタン１８の押下操作は初期状態への復帰操作と解して待ち状態に復帰し、超えた場合には、管理カード８Ｂによる認証要求と解してカード認証ステップが実行される。
【００６０】
カード認証ステップは、図７に示すように、まず、カードマークを点灯、表示させて認証カード８をカード読み取り部に翳すことを促した後（ステップＳ３-１）、認証カード８を翳すための時間計測のため、動作タイマーをスタートする（ステップＳ３-２）。動作タイマーによる計時中、操作開始ボタン１８の押下（ステップＳ３-３）、または認証カード８情報の読み取り（ステップＳ３-４）が監視され、タイマー設定時間内に双方の操作が行われなかった場合には（ステップＳ３-５）、待ち状態に復帰する。
【００６１】
これに対し、ステップＳ３-４で認証カード８の情報が入力されると、読み取った認証カード８がユーザーカード８Ａか管理カード８Ｂかが識別され、ユーザーカード８Ａである場合、正確には認証可能なユーザーカード８Ａである場合（ステップＳ３-４１）、施解錠状態が検出され、解錠状態である場合には（ステップＳ３-４２）施錠処理が実行された後（ステップＳ３-４２１）、待ち状態に復帰する。
【００６２】
上記ステップＳ３-４２は、図４の開始ステップにおいてカード単独モード以外は、施錠処理が終了しているために、カード単独モードを対象とした検査ステップとして機能し、結果、カード単独モードでの施錠操作は、認証成立を条件とすることが求められる。
【００６３】
また、ステップＳ３-４２で施錠状態が検出されると、  ”ユーザーカード”フラグをセットした後（ステップＳ３-４３）、解錠処理を行い（ステップＳ３-４４）、図１４に示す解錠処理後ステップが実行される。
【００６４】
これに対し、ステップＳ３-４１でユーザーカード８Ａと識別されなかった場合、まず、管理カード８Ｂか否かが識別され（ステップＳ３-４１１）、管理カード８Ｂでない場合には、待ち状態に復帰し、管理カード８Ｂである場合、”管理カード”フラグをセットした後（ステップＳ３-４１２）、図８に示す管理ステップが実行される。
【００６５】
さらに、ステップＳ３-３で操作開始ボタン１８の押下が検出されると、現在の運用モードを確認し（ステップＳ３-３１）、運用モードがカード優先モードの場合には暗証ステップが実行され、それ以外の場合には、操作開始ボタン１８の押下操作は初期状態への復帰操作と解し、待ち状態に復帰する。
【００６６】
管理ステップは、図８に示すように、まず、テンキー１を点灯し（ステップＳ４-１）、管理種別の特定を促す（ステップＳ４-２）。モード管理は、ＩＤの登録、削除操作により自動的に決定される。
【００６７】
上記ＩＤの削除操作権限は、管理カード８Ｂを使用した管理ステップの実行に対してのみ付与され、管理カード８Ｂを使用しないＩＤ削除操作要求があった場合（ステップＳ４-３、４、５）、エラー通知を発した後（ステップＳ４-３２、４２、５２）、待ち状態に復帰する。
【００６８】
これに対し、設定変更種別が暗証番号、および認証カード８の削除要求である場合には、当該ＩＤ削除処理を実行した後（ステップＳ４-３１）、図９に示すように、動作モードをブランクモードに変更した後（ステップＳ５）、待ち状態に復帰する。また、ステップＳ４-２でユーザーカード８Ａの削除要求があった場合には、ユーザーカード削除処理を実行した後（ステップＳ４-４１）、図１０に示すユーザーカード削除後処理ステップが、暗証番号削除が要求された場合には、暗証番号削除処理が実行された後（ステップＳ４-５１）、図１１に示す暗証番号削除後処理ステップが各々実行される。
【００６９】
また、ステップＳ４-２でユーザーカード８Ａによる処理が許されるユーザーカード８Ａの登録、あるいは暗証番号の登録、変更が要求された場合、ユーザーカード８Ａ、あるいは管理カード８Ｂか否かの判定が行われ（ステップＳ４-６、７）、いずれでもない場合にはエラー通知を発した後（ステップＳ４-６２、７２）、待ち状態に復帰する。
【００７０】
さらに、ステップＳ４-２において管理カード８Ｂまたはユーザーカード８Ａによるユーザーカード８Ａの登録処理要求がなされた場合には、ユーザーカード８Ａ登録処理を実行した後（ステップＳ４-６１）、図１２に示すユーザーカード８Ａ登録後処理ステップが、暗証番号登録処理要求がなされた場合には、暗証番号登録処理を実行した後（ステップＳ４-７１）、図１３に示す暗証番号登録後処理ステップが実行される。
【００７１】
ユーザーカード８Ａ削除後処理ステップにおけるモード変更は、図１０に示すように、現在の実行モードがブランクモード、あるいは暗証番号単独モードである場合には、ユーザーカード８Ａの削除により認証環境は変化しないために、動作モードが維持、継続され（ステップＳ６１、６２）、カード単独モードである場合、認証カード８によるアクセスが管理カード８Ｂ、およびブランクカードに限定されるブランクモードに移行し（ステップＳ６３）、待ち状態に復帰する。
【００７２】
また、ユーザーカード削除後処理ステップにおいて実行ステップが暗証番号優先モードである場合には、切替対象であるカード認証方式が削除されるために、暗証番号単独モードに変更された後（ステップＳ６４）、待ち状態に復帰し、カード優先モードの場合には、暗証番号単独モードに移行した後（ステップＳ６５）、待ち状態に復帰する。
【００７３】
さらに、暗証番号削除後処理ステップにおけるモード変更は、図１１に示すように、現在の実行モードがブランクモード、あるいはカード単独モードである場合には、暗証番号の削除により認証環境は変化しないために、動作モードが維持、継続され（ステップＳ７１、７３）、暗証番号単独モードである場合には、ブランクモードに移行し（ステップＳ７２）、待ち状態に復帰する。
【００７４】
また、暗証番号削除後処理ステップにおいて実行ステップが暗証番号優先モードである場合には、カード単独モードに移行した後（ステップＳ７４）、カード優先モードである場合には、切替対象である暗証番号認証方式が削除されるために、カード単独モードに変更された後（ステップＳ７５）、待ち状態に復帰する。
【００７５】
ユーザーカード登録後処理ステップにおけるモード変更は、図１２に示すように、現在の実行モードがカード単独モード、暗証番号優先モード、あるいはカード優先モードである場合には、ユーザーカード８Ａの登録により認証環境は変化しないために、動作モードが維持、継続される（ステップＳ８３、８４、８５）。
【００７６】
また、実行モードがブランクモードの場合には、ユーザーカード８Ａの登録によりカード単独モードに変更された後（ステップＳ８１）、待ち状態に復帰し、暗証番号単独モードの場合、従前の暗証番号認証方式を優先表示する優先モード、すなわち、暗証番号優先モードに変更された後（ステップＳ８２）、待ち状態に復帰する。
【００７７】
図１３は暗証番号登録後処理ステップにおけるモード変更を示し、現在の実行モードが暗証番号単独モード、暗証番号優先モード、あるいはカード優先モードの場合には、暗証番号の登録により認証環境は変化しないために、動作モードが維持、継続される（ステップＳ９２、９４、９５）。また、実行モードがブランクモードの場合には、暗証番号の登録により暗証番号単独モードに変更された後（ステップＳ９１）、待ち状態に復帰し、カード単独モードの場合、従前のカード認証方式を優先表示する優先モード、すなわち、カード優先モードに変更された後（ステップＳ９３）、待ち状態に復帰する。
【００７８】
一方、解錠処理後ステップは、図１４に示すように、まず、解錠動作が正常に実行されたか否かが判定され（ステップＳ１０）、正常な実行が確認されなかった場合には施解錠エラー表示を発した後（ステップＳ１０１）、待ち状態に復帰する。
【００７９】
これに対し、ステップＳ１０で正常な解錠動作が確認された場合、解錠完了表示を実行した後（ステップＳ１１）、管理ステップへの移行操作が可能になる。管理ステップへの移行は、解錠動作後、所定時間内に操作開始ボタン１８を押下し、さらにそのまま一定時間操作開始ボタン１８を押し続けることにより行われ、当該操作を検出するために、まず、タイマーＡを起動し（ステップＳ１２）、所定時間内に操作が行われなかった場合には（ステップＳ１４）、待ち状態に復帰する。
【００８０】
一方、タイマーＡのアップ前に操作開始ボタン１８の押下操作が行われた場合（ステップＳ１３）、タイマーＢをスタートさせ（ステップＳ１３１）、所定時間の経過が検出されると（ステップＳ１３３）、管理ステップに移行し、その前に操作開始ボタン１８の押下操作が中止されると（ステップＳ１３２）待ち状態に復帰する。
（付記）
（付記１）
異なった暗証用符号１を予め定められた配列により配置した暗証符号入力部２と、
暗証符号入力部２から入力された入力符号列の予め登録された認証用暗証符号列との一致を認証成立条件とする暗証符号認証部３と、
暗証符号認証部３での本認証操作後における暗証符号入力部２への任意の暗証用符号１の入力を検出するダミー入力検出部４と、
本認証動作時の認証成立に加え、ダミー入力検出部４における暗証用符号１入力の検出を条件に電気錠５を解錠駆動する制御部６とを備える電気錠制御装置。
（付記２）
前記暗証符号入力部２にはエンターキー７が配置され、
エンターキー７が入力される前の適数が本認証操作における認証用暗証符号列として採用される付記１記載の電気錠制御装置。
（付記３）
前記暗証符号入力部２は暗証用符号１を非表示状態への遷移可能に表示するとともに、
前記ダミー入力操作時に暗証用符号１の適数をダミー入力用符号として表示し、
表示されたダミー入力用符号の全ての選択によりダミー入力操作が完了する付記１または２記載の電気錠制御装置。
（付記４）
前記暗証符号入力部２は静電容量式タッチセンサにより形成されるとともに、
前記暗証符号入力部２へのダミー入力がスワイプ操作により実行可能な付記１、２または３記載の電気錠制御装置。
（付記５）
利用者の選択により、前記暗証符号認証部３に代えて認証媒体８に保持された電子的な認証コードに対して認証する媒体認証部９を有するとともに、
前記暗証符号入力部２の一部には、前記認証媒体８の認証コード読み取り可能領域が設定され、
かつ、前記制御部６は、前記媒体認証部９による認証方式が選択された際には、暗証用符号１に代えて認証コード読み取り可能領域を暗証符号入力部２に表示する付記１から４のいずれかに記載の電気錠制御装置。
（付記６）
前記暗証符号認証部３による認証方式と、媒体認証部９における認証方式のいずれかを優先認証方式として登録可能であり、
前記制御部６は、起動時に優先利用認証方式を最先に実行する付記５記載の電気錠制御装置。
（付記７）
切替可能な複数の認証方式を備えた認証部を備え、該認証部での認証成立を条件として電気錠５を解錠駆動する電気錠制御装置であって、
利用者による優先認証方式の登録が可能で、認証部の利用時に登録済み優先認証方式が最先に実行される電気錠制御装置。
（付記８）
前記複数の認証方式から利用者により利用可能認証方式として選択された複数の認証方式の一が優先認証方式として指定された優先モードと、前記適数の認証方式のうち一が利用者により利用可能認証方式として選択された単独モードとを有し、
単独モードにおける認証成立後の他の認証方式の登録により優先モードに自動遷移する付記７記載の電気錠制御装置。
（付記９）
認証媒体８に保持された電子的な認証コードに対して認証する媒体認証方式を前記利用可能認証方式に含み、
前記認証媒体８方式のみが利用可能な媒体単独モード以外において認証操作を要求することなく施錠操作を可能にし、
媒体単独モードにおいては、認証媒体８による認証成立を施錠操作の実行条件とする付記８記載の電気錠制御装置。
（付記１０）
前記単独モードにおける他の認証方式の登録により単独モード時の利用可能認証方式を優先認証方式とする優先モードに自動遷移する付記８または９記載の電気錠制御装置。
（付記１１）
利用者による利用可能認証方式の未決定時に認証動作可能で、利用可能認証方式の全削除により移行するブランクモードを有し、
前記ブランクモードにおける認証後の利用可能認証方式の登録により単独モードに自動遷移する付記８、９または１０記載の電気錠制御装置。
【符号の説明】
【００８１】
１        暗証用符号
２        暗証符号入力部
３        暗証符号認証部
４        ダミー入力検出部
５        電気錠
６        制御部
７        エンターキー
８        認証媒体
９        媒体認証部
【図１】
2015151833.tif 000003
【図２】
2015151833.tif 000004
【図３】
2015151833.tif 000005
【図４】
2015151833.tif 000006
【図５】
2015151833.tif 000007
【図６】
2015151833.tif 000008
【図７】
2015151833.tif 000009
【図８】
2015151833.tif 000010
【図９】
2015151833.tif 000011
【図１０】
2015151833.tif 000012
【図１１】
2015151833.tif 000013
【図１２】
2015151833.tif 000014
【図１３】
2015151833.tif 000015
【図１４】
2015151833.tif 000016